(57)【要約】【課題】データ信号を音声信号に重畳して送出するインターホン装置において、データ信号の発振開始時及び終了時にデータ音が可聴信号として聞こえてしまう。【解決手段】インターホンのデータ信号を発振するＣＰＵが、発振信号をフィルタリングするバンドパスフィルタの通過帯域である周波数に対して上または下へ逸脱した周波数にスイープして発振を開始及び終了し、バンドパスフィルタの通過帯域を利用してデータ信号のレベルを可変させる。【選択図】図１
2012160804.tif 000002
【特許請求の範囲】
【請求項１】
居室内の親機と玄関に設置された玄関子機とからなるインターホン装置において、前記親機にはデータ信号を発振する発振部と、通話音声を集音するマイクと、前記データ信号及び前記通話音声を多重化して前記玄関子機に送出する多重回路と、前記データ信号から不要な周波数成分を除去して多重回路にフィルタ後データ信号を送出するバンドパスフィルタを備え、前記発振部は、前記データ信号を発振開始時に前記バンドパスフィルタの通過帯域である周波数から上または下へ逸脱した周波数で発振を開始し、前記バンドパスフィルタの通過帯域である周波数へ順次スイープすることを特徴とするインターホンデータ送出回路。
【請求項２】
居室内の親機と玄関に設置された玄関子機とからなるインターホン装置において、前記親機にはデータ信号を発振する発振部と、通話音声を集音するマイクと、前記データ信号及び前記通話音声を多重化して前記玄関子機に送出する多重回路と、前記データ信号から不要な周波数成分を除去して多重回路にフィルタ後データ信号を送出するバンドパスフィルタを備え、前記発振部は、前記バンドパスフィルタの通過帯域である周波数で発振を継続している状態から前記データ信号を発振を終了する時、前記バンドパスフィルタの通過帯域である周波数から上または下へ逸脱した周波数へ順次スイープしてから前記データ信号を発振を終了することを特徴とするインターホンデータ送出回路。
【発明の詳細な説明】
【技術分野】
【０００１】
本発明はデータ信号を音声信号に重畳して送出する技術に関するものであり、特にデータ信号の送出開始時および送出終了時にデータが音声増幅回路に混入した場合のデータ音を聞こえ難くすることに関する。
【背景技術】
【０００２】
データ信号は親機ＣＰＵにより生成され、バンドパスフィルタにより高調波成分を取り除き、ベースバンドの音声信号とともに、多重回路により幹線に出力される。
【先行技術文献】
【特許文献】
【０００３】
【特許文献１】特開平３−１７９９６７号公報
【発明の概要】
【発明が解決しようとする課題】
【０００４】
従来のデータ送出回路では、データ信号の送出開始時および送出終了時音声信号に混入したデータ信号が可聴信号として通話に混入するとの欠点があった。
これを改善するためには、データ信号の立ち上がり及び立ち下がりの信号レベルを緩やかに可変することが提案されているが、増幅回路で制御することはコストや部品点数の問題から困難であった。
【０００５】
これらの課題を解決するため、ＣＰＵから出力するデータの初めと終わりに周波数をバンドパスフィルタによって低減される周波数帯にスイープすることで、幹線のデータの立ち上がりと立下りレベルを滑らかにし、音声信号に混入したデータ信号が可聴信号として聞こえ難くすることができる。
【課題を解決するための手段】
【０００６】
上記課題を解決するため、本発明によるインターホンデータ送出回路は、居室内の親機と玄関に設置された玄関子機とからなるインターホン装置において、親機にはデータ信号を発振する発振部と、通話音声を集音するマイクと、データ信号及び通話音声を多重化して玄関子機に送出する多重回路と、データ信号から不要な周波数成分を除去して多重回路にフィルタ後データ信号を送出するバンドパスフィルタを備え、発振部は、データ信号を発振開始時にバンドパスフィルタの通過帯域である周波数から上または下へ逸脱した周波数で発振を開始し、バンドパスフィルタの通過帯域である周波数へ順次スイープすることを特徴とする。
【０００７】
また、本発明によるインターホンデータ送出回路は、居室内の親機と玄関に設置された玄関子機とからなるインターホン装置において、親機にはデータ信号を発振する発振部と、通話音声を集音するマイクと、データ信号及び通話音声を多重化して玄関子機に送出する多重回路と、データ信号から不要な周波数成分を除去して多重回路にフィルタ後データ信号を送出するバンドパスフィルタを備え、発振部は、バンドパスフィルタの通過帯域である周波数で発振を継続している状態からデータ信号を発振を終了する時、バンドパスフィルタの通過帯域である周波数から上または下へ逸脱した周波数へ順次スイープしてからデータ信号を発振を終了することを特徴とする。
【発明の効果】
【０００８】
請求項１の発明によれば、データ信号の送信開始時に、データ信号の周波数をバンドパスフィルタによるフィルタ周波数の範囲外から規定周波数に向けて周波数を可変しながらスイープすることにより、音声信号と重畳されたデータ信号はレベルが緩やかに上昇するため、可聴信号として聞こえづらくなる。
【０００９】
請求項２の発明によれば、データ信号の送信終了時に、データ信号の周波数を規定周波数からバンドパスフィルタによるフィルタ周波数の範囲外に向けて周波数を可変しながらスイープすることにより、音声信号と重畳されたデータ信号はレベルが緩やかに下降するため、可聴信号として聞こえづらくなる。
【図面の簡単な説明】
【００１０】
【図１】図１は本回路のブロック図を示したものである。
【図２】図２は本回路のデータ信号の波形及びレベルを示したものであり、図２（ａ）はＣＰＵからバンドパスフィルタへのデータ信号の波形、図２（ｂ）はバンドパスフィルタから多重回路へのデータ信号の波形を示した説明図である。なお、横軸が時間軸、縦軸が信号レベルである。
【発明を実施するための形態】
【００１１】
以下、本発明によるインターホンデータ送出回路を適用した好ましい形態の実施例について、図面を参照して説明する。
【００１２】
図１は本インターホンデータ送出回路を含むインターホン装置のブロック図であり、１は室内に設置され、後述する玄関子機から呼出を受けて通話や来訪者の画像表示を行なう親機、２は建物外部の玄関近傍に設置され、親機１に呼出信号を送り、親機１からの指示により親機１との通話路を確立し、来訪者を撮像する玄関子機である。
親機１には玄関子機２との通話を行なうためのスピーカ１２、マイク１３と、親機１の動作全体を制御するとともに、玄関子機２に対する制御信号を発振する親機ＣＰＵ１９と、玄関子機２で撮像された映像を表示するＬＣＤ１５と、玄関子機２が駆動するための電力を供給する子機電源回路１７と、親機ＣＰＵ１９で発振したデータ信号Ｓ１から不要な周波数成分を除去して後述する多重回路にフィルタ後データ信号Ｓ１’を送出するバンドパスフィルタ１６と、フィルタ後データ信号Ｓ１’、マイク１３で集音した音声Ｓ２、子機電源回路１７からの電源を多重化して玄関子機２に送出する多重回路１４とを備えている。また、玄関子機２には親機１で出画する映像を撮像するカメラ２１と、親機１との通話を行なうために音声を集音するマイク２３と、親機１との通話を行なうために音声Ｓ２を放音するスピーカ２２と、フィルタ後データ信号Ｓ１’を受信して玄関子機２の動作全体を制御するとともに、親機１に対する応答信号を送出する子機ＣＰＵ２９と、カメラ２１、マイク２３、子機ＣＰＵ２９の信号を多重化して親機１に送出する多重回路２４とを備えている。
【００１３】
以下、動作について説明する。訪問客が玄関子機２の図示しない呼出ボタンにより呼出操作を行なう点については、従来の技術と同等であるため省略する。
【００１４】
室内から親機１の図示しない操作部により通話開始操作を行なうと、親機ＣＰＵ１９はマイク１３、子機電源回路１７を能動とするとともに、子機ＣＰＵ２９に対してＬＣＤ１５に出画する画像を撮像するためにカメラ２１を能動とするにデータ信号Ｓ１を発振する。このとき、親機ＣＰＵ１９より発振したデータ信号Ｓ１の発振開始時の立ち上がりは図２（ａ）の左側に記載した立ち上がりのように高い周波数から順次規定の周波数に変化する。このデータ信号Ｓ１がバンドパスフィルタ１６に入ると、立ち上がり部分の信号がバンドパスフィルタ１６の通過帯域の外にあるために大きく減衰し、規定の周波数に変化するとともにバンドパスフィルタ１６の減衰量が減少し、最終的に減衰量が最小値で安定するため、バンドパスフィルタ１６の出力信号はフィルタ後データ信号Ｓ１’の左側に記載した立ち上がりのようにレベルがゆるやかに上昇する。これにより、フィルタ後データ信号Ｓ１’は可聴信号として聞こえ難いものとなる。
【００１５】
また、親機ＣＰＵ１９より発振したデータ信号Ｓ１の発振終了時の立ち下がりは図２（ａ）の右側に記載した立ち下がりのように規定の周波数から順次高い周波数に変化する。このデータ信号Ｓ１がバンドパスフィルタ１６に入ると、規定の周波数では減衰が最小値で安定しており、周波数が上昇するとともに立ち下がり部分の信号がバンドパスフィルタ１６の通過帯域の外に向かうことからバンドパスフィルタ１６の減衰量が増加するため、バンドパスフィルタ１６の出力信号はフィルタ後データ信号Ｓ１’の右側に記載した立ち下がりのようにレベルがゆるやかに下降する。これにより、フィルタ後データ信号Ｓ１’は可聴信号として聞こえ難いものとなる。
【産業上の利用可能性】
【００１６】
本実施例ではデータの周波数を立ち上がり時に高い周波数から変化させ、立下り時に高い周波数へ変化させる例で説明したが、同様にデータの周波数を立ち上がり・立下り時に低い周波数側に変化させても良い。
また、本実施例では戸建用ＴＶドアホンに適用した例で説明したが、集合用インターホンシステムでもデータ信号を音声信号に重畳して送出するため、同様の効果を得ることができる。
また、本実施例ではトーンバーストを用いた例で説明したが、ＦＳＫその他のデータでも同様の効果を得ることができる。
【符号の説明】
【００１７】
１    親機
２    玄関子機
１３    マイク
１４    多重回路
１６    バンドパスフィルタ
１９    発振部（ＣＰＵ）
Ｓ１    データ信号
Ｓ２    音声
【図１】
2012160804.tif 000003
【図２】
2012160804.tif 000004